(57)【特許請求の範囲】
【請求項１】
複数の交換機を含む通信システム（１００）における交換機（１２０）において、呼びブロック制御を実行する方法であって、
（Ａ）前記交換機（１２０）によって処理されている呼びの量を制御する呼びブロック制御を用いて、前記交換機（１２０）を初期化するステップ（２００）と、
（Ｂ）初期化された前記交換機（１２０）が、ダイヤルされたディレクトリ番号を受信し（２０２）、その受信されたディレクトリ番号が、それを本来サービスすることとなっている交換機（１５０）以外のいずれかの別の交換機にポートされたディレクトリ番号であるかどうかを判別するステップ（２０４）と、
（Ｃ）前記受信されたディレクトリ番号が前記別の交換機にポートされたディレクトリ番号である場合に、番号ポータビリティデータベース（１１０）からロケーションルーティング番号を検索して、前記別の交換機（１７０）を識別するステップ（２０６）と、
（Ｄ）検索された前記ロケーションルーティング番号が呼びブロック制御の対象となっていない場合に、前記ダイヤルされたディレクトリ番号に対して呼びブロック制御を行わないステップ（２１２）と、
を有することを特徴とする呼びブロック制御を実行する方法。
【請求項２】
前記（Ａ）ステップが、
（Ａ１）ＮＰＡ−ＮＸＸ桁に基づいて呼びブロック制御を確立するステップを含む
ことを特徴とする請求項１記載の方法。
【請求項３】
前記ロケーションルーティング番号は、前記ポートされたディレクトリ番号をサービスする中央局交換機を識別するものであることを特徴とする請求項１記載の方法。
【請求項４】
第１の交換機（１５０）が通信システム（１００）中の他の交換機よりも大きな量の呼びを経験する、複数の交換機を含む通信システムにおいて、呼びを制御する方法であって、
（Ａ）前記第１の交換機（１５０）によりサービスされるディレクトリ番号に向けられた呼びブロック制御を用いて、第２の交換機（１２０）を初期化するステップ（２００）と、
（Ｂ）前記第２の交換機（１２０）によって、前記第１の交換機（１５０）を識別するダイヤルされたディレクトリ番号を受信するステップ（２０２）と、
（Ｃ）前記ダイヤルされたディレクトリ番号の受信に応じて、前記第２の交換機（１２０）が番号ポータビリティデータベース（１１０）から、実際に着信する交換機（１７０）を識別するロケーションルーティング番号を検索するステップと、
（Ｄ）前記ダイヤルされたディレクトリ番号によって要求された呼びが呼びブロック制御の対象とならない第３の交換機（１７０）に着信すると予想される場合に、前記要求された呼びに対して呼びブロック制御を行なわないようにするステップと、
を有することを特徴とする呼びを制御する方法。
【請求項５】
検索された前記ロケーションルーティング番号が、呼びブロック制御の対象となる前記第３の交換機（１７０）を識別し、さらに、
前記第２の交換機（１２０）で行われる呼びブロック制御に基づいて、前記第３の交換機に対する呼びの着信をブロックする
ことを特徴とする請求項４記載の方法。
【請求項６】
検索された前記ロケーションルーティング番号が、呼びブロック制御の対象とならない前記第３の交換機（１７０）を識別し、さらに、
前記第２の交換機（１２０）で行われる呼びブロック制御に基づいて、前記第３の交換機に対する呼びの着信を許可する
ことを特徴とする請求項４記載の方法。
【請求項７】
複数の交換機（１２０，１５０，１７０）によりサービスされる複数の顧客回線（１２７，１２９，１５７，１５９，１７３）と公衆交換電話網の他のノードとの間で呼び接続を確立する手段と、
ネットワーク管理制御センタ（１０２）から特定の交換機に向けられた呼びブロック制御指示を受信する手段と、
前記呼びブロック制御は、前記特定の交換機の宛先のダイヤルされたディレクトリ番号の第１のＮＰＡ−ＮＸＸ桁に基づき、
呼び要求のダイヤルされたディレクトリ番号を受信する手段と、
前記ダイヤルされたディレクトリ番号がポートされたディレクトリ番号であるか否かを判別する手段と、
受信した前記ダイヤルされたディレクトリ番号に基づいて、番号ポータビリティデータベース（１０８，１１０）から、前記呼び要求が実際に着信する交換機を識別するためのロケーションルーティング番号を検索するための手段と、
前記ロケーションルーティング番号が前記第１のＮＰＡ−ＮＸＸ桁と一致するか否かを判別し、一致しない場合に、呼びブロック制御指示にしたがった前記呼び要求のブロック制御を行わないようにする手段と、
を有することを特徴とする通信交換機。
【発明の詳細な説明】
【０００１】
【発明の属する技術分野】
本発明は、通信ネットワークに関し、特に、呼びブロックがあった場合に、ポータブルディレクトリ番号への呼び要求を処理することに関する。
【０００２】
【従来の技術】
米国の通信業界は、過渡期にある。次の数年の間に、市内交換機キャリアーは実質的に変更され、競争力のあるアクセスプロバイダが、長距離および市内交換機通話の両方に対する顧客サービスを提供し始めるであろう。競争力のあるアクセスプロバイダの加入者に過度の負担をかけることなくこの変化を促進させるために、サービスプロバイダ番号ポータビリティに対する要求が予想されている。サービスプロバイダ番号ポータビリティは、ディレクトリ番号の変化のないサービスプロバイダにおける変化と定義される。結局、顧客がディレクトリ番号の変更なしに他の地理的位置に移動できるように、市内番号ポータビリティも利用できるようになるであろう。
【０００３】
番号ポータビリティは、現存の通信ネットワークにおける呼びルーティングに大きなインパクトを与える。これは、米国における電話顧客間の通話が、全国ディレクトリ番号計画に基づいて確立されるからである。各顧客は、地理的かつ中央局交換機の意味を有する１０桁のディレクトリ番号により識別される。この１０桁のディレクトリ番号は、特定の地理的領域を決定する（一般に文字“ＮＰＡ”で示される）３桁の地域コード、およびこれに続くネットワークにおける特定の中央局交換機を識別する（文字“ＮＸＸ”で示される）３桁の局コードを含む。
【０００４】
残りの４桁は、ＮＸＸ桁で識別された中央局交換機によりサービスされる特定の顧客の回線アドレスを確立するための（文字“ＸＸＸＸ”により示される）顧客回線識別子である。そのディレクトリ番号を保持しつつサービスプロバイダを変更する顧客は、典型的に、顧客のディレクトリ番号のＮＰＡ−ＮＸＸと異なるＮＰＡ−ＮＸＸ桁を通常サービスする中央局交換機によりサービスされる。すなわち、このような顧客は、ディレクトリ番号を「ポート」する。
【０００５】
ポートされたディレクトリ番号(ported directory number)は、現存する通信ネットワークにおける特別な適応を必要とする。そのような適応の一例は、公衆交換電話網における各中央局交換機が固有の“ＮＰＡ−ＮＸＸ”桁のセットにより識別される地域ルーティング番号（ＬＲＮ）スキームの具現化である。番号ポータビリティデータベースは、ＬＲＮデータを格納し、ポートされたディレクトリ番号への呼びの適切なルーティングを確かにするためにアクセスされる。
【０００６】
ポートされたディレクトリ番号への呼びのルーティングは、“呼びのブロッキング（call blocking：呼び閉そく）”（“コードブロッキング”としても知られている）が開始される場合にも影響を受ける。呼びブロックは、特定の宛先（たとえば、中央局交換機またはディレクトリ番号）への全ての電話呼びのうちの一部のみが予め定められたブロックスキームに従って確立される手続きである。
【０００７】
呼びブロックは、特定の宛先への大量の呼びを制御するために、ネットワーク管理要員により開始される。たとえば、呼びブロックは、特定の地理的領域に影響を与える自然災害の結果として起こりうる。この影響を受けた領域に位置された中央局交換機は、この交換機によりサービスされる顧客回線へ１秒当たり１つの呼びのみが終端することを許容するブロックにより制御されうる。
【０００８】
ここで、正常な終端レートは、１秒当たり２つの呼びである。このタイプのブロックは、影響を受けた交換機によりサービスされる加入者が出発呼びを確立するためにネットワーク資源を使用できるように、影響を受けた交換機への大量の到来呼びを減少させるために使用される。ブロックされた呼びは、「全ての回線が使用中」のアナウンスまたは高速ビジー信号のいずれかを受信する。
【０００９】
【発明が解決しようとする課題】
別の交換機からポートされたディレクトリ番号を保持する個人は、中央局交換機に向けられた現存する呼びブロック手順により悪影響を受ける。これは、全体の中央局交換機のブロックが交換機を識別する“ＮＰＡ−ＮＸＸ”桁に基づくからである。すなわち、到来呼びの量は、ブロックされた“ＮＰＡ−ＮＸＸ”桁を含むディレクトリ番号に向けられた呼びの数の一部分のみを確立することにより減少させられる。不運なことに、呼びブロック制御下にある中央局交換機の“ＮＰＡ−ＮＸＸ”桁を偶然に有するポートされたディレクトリ番号顧客が、呼びをブロックさせることになる。したがって、呼びブロック制御により悪影響を受けるポートされたディレクトリ番号顧客を除外するニーズがある。
【００１０】
【課題を解決するための手段】
呼びブロック制御を開始する前に、ダイヤルされたディレクトリ番号に関連づけられたＬＲＮデータを得ることにより、このニーズが満たされ、通信技術分野において技術的進歩が達成される。好ましい実施形態において、通信システムにおける全ての交換機は、呼び処理に先立って、番号ポータビリティデータベースの起点交換機の照会を使用する呼びブロック制御で初期化される。
【００１１】
結果として、ポートされたディレクトリ番号に関連づけられたＬＲＮデータが、このポートされたディレクトリ番号が実際にこの初期化された呼びブロック制御の対象であるかどうかを決定するために、検索され、分析される。好都合なことに、ポートされたディレクトリ番号が呼びブロック制御の対象でないことを示すＬＲＮデータを含む場合、このポートされたディレクトリ番号に向けられた呼びが免除され、呼びブロック制御なしに処理される。
【００１２】
【発明の実施の形態】
図１は、本発明の一実施形態が実施されうる通信システムのブロック図である。例示のために、通信システムは、番号ポータビリティをサポートすると仮定する。すなわち、各中央局交換機は、固有の“ＮＰＡ−ＮＸＸ”桁により識別される。
【００１３】
通信システム１００は、ネットワーク管理制御センタ１０２、信号転送ポイント１０４，１０６、番号ポータビリティデータベース１０８，１１０、中央局交換機１２０，１５０，１７０、およびタンデム交換機１４０を含む。
【００１４】
ネットワーク管理制御センタ１０２は、通信システム１００を監視し、それぞれリンク１０３，１０５および１０７を介して中央局交換機１２０，１５０および１７０に接続されている。信号転送ポイント１０４，１０６は、信号リンクを介して、番号ポータビリティデータベースおよび通信システム１００中の各交換機に接続されている。
【００１５】
特に、信号転送ポイント１０４は、それぞれ信号リンク１１３，１２１を介して、番号ポータビリティデータベース１１０および中央局交換機１２０に接続されている。同様に、信号転送ポイント１０６は、それぞれ信号リンク１０９，１４１，１５１および１７１を介して、番号ポータビリティデータベース１０８，タンデム交換機１４０および中央局交換機１５０，１７０に接続されている。
【００１６】
通信システム１００中の全ての交換機は、より大きな公衆交換電話網（ＰＳＴＮ）の一部分である。ＬＲＮ番号ポータビリティスキームに従って、ＰＳＴＮ中の各中央局交換機は、以下に説明するように、固有の“ＮＰＡ−ＮＸＸ”桁により識別される。図示されている実施形態において、中央局交換機１２０は、双方向性トランク１４３によりタンデム交換機１４０に接続され、確立された双方向性トランク１６９を介して中央局交換機１５０に接続されている。
【００１７】
タンデム交換機１４０は、それぞれ確立された双方向性トランク１４５，１６９を介して、中央局交換機１５０および１７０に接続されている。タンデム交換機１４０は、個々の顧客回線をサービスするのではなく、通信システム１００およびＰＳＴＮ内の他の交換機へのゲートウエイ交換機として働く。タンデム交換機は、個々の顧客回線を直接的にサービスしないので、これは“ＮＰＡ−ＮＸＸ”桁により識別されない。この場合、タンデム交換機１４０は、データリンク１４７を介してトランク設備１４８へ接続するメインプロセッサ１４２を含む。また、呼びブロック制御を含む様々な制御プロセスを格納するためのメモリ１４４が図示されている。
【００１８】
好ましい実施例において、中央局交換機１２０，１５０および１７０は、ルーセントテクノロジー社により製造販売されている５ＥＳＳ(R)交換機である。中央局交換機１２０は、ＮＰＡ−ＮＸＸ桁“６３０−５５５”により識別され、通信リンク１２３を介して通信モジュール１２４に接続された管理モジュール１２２を含む。
【００１９】
通信モジュール１２４は、データリンク１２５を介して、交換機モジュール１２６および１２８に接続されている。動作において、交換機モジュール１２６および１２８は、ユーザ宅内装置において終端する複数の顧客回線をサービスする。各交換機モジュールは、顧客データを格納し、これがサービスする顧客回線に対する呼びを確立する。交換機モジュール１２６は、プロセッサ１３０およびデータメモリ１３２を含む。同様に、交換機モジュール１２８は、プロセッサ１３４およびデータメモリ１３６を含む。
【００２０】
また、交換機モジュール１２８は、中央局交換機を残りのＰＳＴＮへ接続するためのトランク設備１３８を含む。図示された実施形態において、交換機モジュール１２６は、ディレクトリ番号６３０−５５５−１２３４により識別される電話機１３１において終端する顧客回線１２７をサービスする。交換機モジュール１２８は、ディレクトリ番号６３０−５５５−５６７８により識別される電話機１３３において終端する顧客回線１２９をサービスする。
【００２１】
中央局交換機１５０は、ＮＰＡ−ＮＸＸ桁“７０８−５５５”により識別され、中央局交換機１２０中の構成部分に類似する構成部分を含む。特に、中央局交換機１５０は、通信リンク１５３を介して通信モジュール１５４に接続される管理モジュール１５２を含む。通信モジュール１５４は、データリンク１５５を介して、交換機モジュール１５６および１５８に接続されている。
【００２２】
交換機モジュール１５６は、プロセッサ１６４，データメモリ１６６およびトランク設備１６８を含む。図示された実施形態において、交換機モジュール１５６は、ディレクトリ番号７０８−５５５−２３３８により識別される電話機１６１において終端する顧客回線１５７をサービスする。交換機モジュール１５８は、プロセッサ１６０およびデータメモリ１６２を含む。この例において、交換機モジュール１５８は、ディレクトリ番号７０８−５５５−０３４２により識別される電話機１６３において終端する顧客回線１５９をサービスする。
【００２３】
中央局交換機１７０は、ＮＰＡ−ＮＸＸ桁“３１２−５５５”により識別される。中央局交換機１７０の内部構成部品は、中央局交換機１２０および１５０の内部構成部品と同じである。本発明の好ましい実施形態の説明のために、中央局交換機１７０が、ディレクトリ番号７０８−５５５−１９６８により識別される電話機１７５において終端する顧客回線１７３をサービスすることを述べれば十分である。電話機１７５に関連づけられたディレクトリ番号は、中央局交換機１７０を識別するＮＰＡ−ＮＸＸ桁と一致しない。これは、顧客回線１７３によりサービスされる加入者がディレクトリ番号を中央局交換機１５０から中央局交換機１７０へポートしたからである。
【００２４】
通信システム１００の正常動作において、中央局交換機１２０，１５０，１７０およびＰＳＴＮ内の他の交換機によりサービスされる顧客間で生じた全ての呼びが確立される。いくつかの状況において、特定の宛先に向けられた呼びの量を減少させる必要がある。例示のために、自然災害が中央局交換機１５０によりサービスされる地理的領域を襲ったと仮定する。
【００２５】
結果として、この影響を受けた地域にいる友人及び親戚と連絡をとろうと望む関係者は、中央局交換機１５０に向けられる呼びを発する。同時に、中央局交換機１５０によりサービスされるこれらの人たちもこの関係者への出発呼びを発することを試みる可能性がある。可能な限り多くの呼びを確立するために交換機資源を最適化するために、ネットワーク管理要員は、中央局交換機１５０に向けられた呼びブロック制御を始める。
【００２６】
代替的な実施形態において、呼びブロック制御は、複数の中央局交換機または特別なディレクトリ番号のような他の宛先に向けることができる。この例において、呼びブロック制御は、中央局交換機１５０において終端する電話呼びの数を制限することが意図されている。特に、ネットワーク管理要員は、１秒当たり１つの呼びのみが中央局交換機上の顧客回線へ終端することを許容することを望むと仮定する。正常動作において、すなわち呼びブロック制御なしに、呼び終端レートは、１秒当たり３つの呼びまで高くすることができる。
【００２７】
呼びブロック制御の要求は、ネットワーク管理制御センタ１０２において形成され、データリンク１０１，１０３，１０５，１０７を介して、通信システム１００中の全ての交換機へダウンロードされる。好ましい実施形態において、呼びブロック制御は、以下に説明するように、ポートされたディレクトリ番号を適応させる。交換機において受信されると、呼びブロック制御は格納される。中央局交換機において、呼びブロック制御は、交換機のメモリ部分に格納される。
【００２８】
タンデム交換機１４０において、呼びブロック制御は、データメモリ１４４に格納される。ブロックされた中央局交換機（この場合、中央局交換機１５０）は、呼びブロック制御も受けるが、（１秒当たり２つの呼びが顧客回線に終端することを許容する）異なる制御を受ける可能性がある。全ての呼びブロック制御は、中央局交換機１５０に向けられた呼びの量を大幅に低減する。
【００２９】
この例において、ネットワーク制御センタ１０２により行われる呼びブロック制御は、ＮＰＡ−ＮＸＸ桁“７０８−５５５”によりブロックされるべき呼びを識別する。したがって、ダイヤルされたＮＰＡ−ＮＸＸ桁“７０８−５５５”を含む通信システム１００および残りのＰＳＴＮに源を発する全ての呼びは、呼びブロック制御の対象である。しかし、ＮＰＡ−ＮＸＸ桁“７０８−５５５”を含むディレクトリ番号を有する中央局交換機１７０（非ブロック中央局交換機）によりサービスされる加入者がいる。
【００３０】
中央局交換機１７０は、ＮＰＡ−ＮＸＸ桁“７０８−５５５”により識別されないので、ブロックの対象ではないが、桁“７０８−５５５”を含むディレクトリ番号を有する少なくとも１人のポートされたディレクトリ番号顧客（すなわち、顧客回線１７３によりサービスされる顧客）をサービスする。
したがって、ＮＰＡ−ＮＸＸ桁“７０８−５５５”で始まるディレクトリ番号に向けられた呼びをブロックする呼びブロック制御の現存する具現化は、中央局交換機１７０によりサービスされるポートされたディレクトリ番号７０８−５５５−１９６８への呼びをブロックすることになる。
【００３１】
図２は、呼びブロック制御がポートされたディレクトリ番号に対する適応を含む好ましい実施形態による通信システム１００において実行されるステップを示す。明瞭にするために、中央局交換機１５０によりサービスされる地理的領域に影響を与える自然災害の例が継続している。
【００３２】
呼びブロック制御により、ＮＰＡ−ＮＸＸ桁“７０８−５５５”を含むディレクトリ番号に向けられた呼び（すなわち、中央局交換機１５０への呼び）が、１秒当たり１つの呼びのみが中央局交換機によりサービスされる顧客回線に終端されるように、ブロックされる。正常な“非ブロック”状態において、１秒当たり３つの呼びが中央局交換機１５０によりサービスされる顧客回線に終端されると仮定する。自然災害の結果としての中央局交換機１５０に流れる大量の呼びのために、ネットワーク管理要員は、呼びブロック制御が必要であると決定する。
【００３３】
プロセスは、ステップ２００において開始され、通信システム１００中の全ての交換機が、典型的な呼びブロック制御で初期化される。この例において、ネットワーク管理制御センタ１０２は、通信システム１００中の全ての交換機を、呼びブロック制御の対象であるＮＰＡ−ＮＸＸ桁“７０８−５５５”を含むディレクトリ番号に向けられた呼びを特定する呼びブロック制御で初期化するために、データリンク１０１，１０３，１０５および１０７を使用する。代替的な実施形態において、呼びブロック制御は、特定のディレクトリ番号、複数の中央局交換機またはこれらの組み合わせへの呼びをブロックするために開始されうる。
【００３４】
プロセスはステップ２０２へ進み、交換機（中央局交換機またはタンデム交換機のいずれか）が、ダイヤルされたディレクトリ番号を受信する。この例において、中央局交換機１２０によりサービスされる電話機１３１における発呼者は、中央局交換機１７０の顧客回線１７３によりサービスされる顧客を呼ぶことを希望すると仮定する。したがって、電話機１３１における発呼者は、中央局交換機１２０（“開始”交換機）において受信されたディレクトリ番号桁“７０８−５５５−１９６８”をダイヤルする。
【００３５】
決定ステップ２０４において、交換機は、ダイヤルされたディレクトリ番号が番号ポータビリティデータベース照会を必要とするかどうかを決定する。この分野において知られているように、ポートされたディレクトリ番号は、交換機（中央局交換機またはタンデム交換機のいずれか）に格納されたトリガーにより識別される。この例において、中央局交換機１２０は、ダイヤルされたディレクトリ番号“７０８−５５５−１９６８”が番号ポータビリティトリガーを有するかどうかを決定する。
【００３６】
顧客回線１７３によりサービスされる顧客は、中央局交換機１５０からディレクトリ番号をポートしたので、ダイヤルされたディレクトリ番号は、番号ポータビリティトリガーを有する。決定ステップ２０４の結果が「いいえ」である場合、プロセスはステップ２０５へ進み、呼びは、１０桁のダイヤルされたディレクトリ番号全体を使用して、呼びブロック制御で処理される。この場合において、決定ステップ２０４の結果が「はい」である場合、プロセスはステップ２０６へ進み、交換機は、番号ポータビリティデータベースからダイヤルされたディレクトリ番号に関連づけられたＬＲＮを検索する。この実施形態において、中央局交換機１２０は、信号転送ポイント１０４および信号リンク１１３，１２１を介して、番号ポータビリティデータベース１１０からＬＲＮデータを検索する。
【００３７】
プロセスは、決定ステップ２０８に進み、開始交換機は、ダイヤルされたディレクトリ番号に向けられた呼びブロック制御があるかどうかを決定する。代替的な実施形態において、この決定は、番号ポータビリティデータベースからＬＲＮデータを検索する前になされうる。決定ステップ２０８の結果が「はい」である場合、プロセスはステップ２０９へ進み、初期化された呼びブロック制御が、検索されたＬＲＮデータを使用することなく処理される（すなわち、呼びブロック制御が、６桁よりも大きいレベルのダイヤルされたディレクトリ番号において処理される）。
【００３８】
決定ステップ２０８の結果が「いいえ」である場合、プロセスはステップ２１０へ進み、開始交換機は、ＬＲＮのＮＰＡ−ＮＸＸに対する呼びブロック制御があるかどうかを決定する。決定ステップ２１０はＮＰＡ−ＮＸＸ桁に向けられているが、代替的な実施形態は、ＬＲＮのＮＰＡ−ＮＸＸよりも多い桁に向けられる呼びブロック制御を有することができる。決定ステップ２１０の結果が「はい」である場合、プロセスはステップ２１１へ進み、初期化された呼びブロック制御は、ＬＲＮデータを使用して処理される。決定ステップ２１０の結果が「いいえ」である場合、プロセスはステップ２１２へ進み、呼びは、初期化された呼びブロック制御を使用することなく処理される。
【００３９】
この例において、ポートされたディレクトリ番号“７０８−５５５−１９６８”をサービスする中央局交換機は、ＮＰＡ−ＮＸＸ桁“３１２−５５５”により識別される。したがって、ダイヤルされたディレクトリ番号のＬＲＮは、ＮＰＡ−ＮＸＸ桁“３１２−５５５”を識別する。
【００４０】
“３１２−５５５”はブロックされた宛先として識別されないので、中央局交換機１７０によりサービスされる顧客回線は、呼びブロック制御の対象ではない。すなわち、この例において、顧客回線１７３によりサービスされる顧客が、初期化された呼びブロック制御の対象ではないＮＰＡ−ＮＸＸ桁“３１２−５５５”に関連づけられているので、決定ステップ２１０の結果は「いいえ」である。
【００４１】
好都合なことに、この好ましい実施形態は、現存する呼びブロック制御の最小の変更を許容するが、ＮＰＡ−ＮＸＸ桁に基づく呼びブロック制御により影響を受けうるポートされたディレクトリ番号“７０８−５５５−１９６８”のようなポートされたディレクトリ番号を適応させる。本発明を例示の実施形態について説明したが、当業者であれば、本発明の範囲から離れることなく多くの他の構成を考案しうる。
【００４２】
【発明の効果】
以上述べたように、本発明によれば、呼びブロック制御下にある中央局交換機の“ＮＰＡ−ＮＸＸ”桁を有するポートされたディレクトリ番号顧客の呼びがブロックされることを防止することが可能な通信システムにおいて呼びブロック制御を実行するための方法を提供することができる。
【図面の簡単な説明】
【図１】本発明の方法が実施されうる通信ネットワークの構成を示すブロック図。
【図２】本発明の一実施例による図１の通信ネットワークにおいて実行する方法を示すフローチャート。
【符号の説明】
１００                                    通信システム
１０２                                    ネットワーク管理制御センタ
１０４，１０６                            信号転送ポイント
１０８，１１０                            番号ポータビリティデータベース
１２０，１５０，１７０                    中央局交換機
１４０                                    タンデム交換機
１０３，１０５，１０７                    リンク
１２７，１２９，１５７，１５９，１７３    顧客回線
【図１】
0003839143.tif 000002
【図２】
0003839143.tif 000003